(57)【特許請求の範囲】
【請求項１】
洗浄水を貯えるタンクと、
前記タンク内に上下方向に沿って延設され、前記タンク内において満水水位を超えた洗浄水を上端側に形成された開口部へ溢水させて便器へ排出するオーバーフロー管と、
前記オーバーフロー管を介して前記便器へ洗浄水を補給する給水部と
を備え、
前記給水部は、
給水源から供給される洗浄水を吐水口から前記オーバーフロー管の前記開口部へ供給して前記便器へ洗浄水を補給する給水管と、
基端部が前記給水管に接続される一方、先端部が前記オーバーフロー管に接続されることで、前記給水管を前記オーバーフロー管に固定する固定部と
を備え、
前記固定部は、
平面視において前記給水管と前記オーバーフロー管との間の空間に対してずれて配置され、平面視において前記基端部が前記給水管に対してずれて配置されること
を特徴とする洗浄水タンク装置。
【請求項２】
前記給水部は、
前記給水管から側方へ向けて突出して形成され、前記固定部の前記基端部が接続される突出部
を備えることを特徴とする請求項１に記載の洗浄水タンク装置。
【請求項３】
前記給水管は、
前記吐水口が前記オーバーフロー管の前記開口部より上方に位置するようにして前記オーバーフロー管に固定されること
を特徴とする請求項１または２に記載の洗浄水タンク装置。
【請求項４】
前記給水部は、
前記給水管に形成され、前記オーバーフロー管に固定されたときに前記オーバーフロー管の前記開口部の周縁に当接する当接部
を備えることを特徴とする請求項１〜３のいずれか一つに記載の洗浄水タンク装置。
【請求項５】
前記固定部は、
前記基端部側に形成される係止部
を備え、
前記給水部は、
前記係止部が係止される被係止部
を備えることを特徴とする請求項１〜４のいずれか一つに記載の洗浄水タンク装置。
【請求項６】
前記固定部は、
前記オーバーフロー管を挟持することで、前記給水管を前記オーバーフロー管に固定するクリップであること
を特徴とする請求項１〜５のいずれか一つに記載の洗浄水タンク装置。
【発明の詳細な説明】
【技術分野】
【０００１】
開示の実施形態は、洗浄水タンク装置に関する。
【背景技術】
【０００２】
従来、水洗大便器に使用される洗浄水を貯える洗浄水タンク装置が知られている（たとえば、特許文献１参照）。洗浄水タンク装置は、タンクに貯えた洗浄水を水洗大便器のボウル部へ供給して汚物を排出させた後、汚物の排出に伴って低下したボウル部内の水位を初期の水位に戻すために、ボウル部に対して洗浄水の補給を行っている。
【０００３】
また、上記した洗浄水タンク装置にあっては、タンク内に設けられたオーバーフロー管に対して給水管から洗浄水を供給し、オーバーフロー管を介して水洗大便器のボウル部へ洗浄水を補給している。
【先行技術文献】
【特許文献】
【０００４】
【特許文献１】特開２０１６−０３０９９４号公報
【発明の概要】
【発明が解決しようとする課題】
【０００５】
ところで、上記した給水管は、吐水口がオーバーフロー管の上端側に形成された開口部付近に位置された状態で、たとえばクリップなどの固定部を用いてオーバーフロー管に固定される場合がある。かかる場合に、たとえば、固定部が、給水管とオーバーフロー管との間に介挿されるように配置されると、オーバーフロー管の開口部から給水管までの離間距離（すなわち高さ）は、固定部の高さの分だけ増加してしまう。これにより、タンク内において、給水管およびオーバーフロー管を収容するための収容スペースが大きくなるおそれがあった。
【０００６】
実施形態の一態様は、タンク内における給水管およびオーバーフロー管の収容スペースの小型化を図ることができる洗浄水タンク装置を提供することを目的とする。
【課題を解決するための手段】
【０００７】
実施形態の一態様に係る洗浄水タンク装置は、洗浄水を貯えるタンクと、前記タンク内に上下方向に沿って延設され、前記タンク内において満水水位を超えた洗浄水を上端側に形成された開口部へ溢水させて便器へ排出するオーバーフロー管と、前記オーバーフロー管を介して前記便器へ洗浄水を補給する給水部とを備え、前記給水部は、給水源から供給される洗浄水を吐水口から前記オーバーフロー管の前記開口部へ供給して前記便器へ洗浄水を補給する給水管と、基端部が前記給水管に接続される一方、先端部が前記オーバーフロー管に接続されることで、前記給水管を前記オーバーフロー管に固定する固定部とを備え、前記固定部は、平面視において前記基端部が前記給水管に対してずれて配置されることを特徴とする。
【０００８】
このように、固定部は、平面視において基端部が給水管に対してずれて配置されることで、たとえば、側面視において固定部を給水管に対して高さ方向に重ねて配置することが可能となる。これにより、オーバーフロー管から給水管までの離間距離（高さ）を、固定部を重ねて配置した高さ分だけ低くすることが可能となり、よって給水管およびオーバーフロー管の収容スペースを小型化することができる。
【０００９】
また、前記給水部は、前記給水管から側方へ向けて突出して形成され、前記固定部の前記基端部が接続される突出部を備えることを特徴とする。
【００１０】
これにより、平面視において固定部の基端部を給水管に対して確実にずれて配置させることが可能となり、よって給水管およびオーバーフロー管の収容スペースを小型化することができる。
【００１１】
また、前記給水管は、前記吐水口が前記オーバーフロー管の前記開口部より上方に位置するようにして前記オーバーフロー管に固定されることを特徴とする。
【００１２】
これにより、たとえば、給水管がオーバーフロー管の上方に配置される場合であっても、給水管は、オーバーフロー管の開口部を塞がないように配置されることから、オーバーフロー管のオーバーフロー能力が、給水管によって低下することを抑制することができる。
【００１３】
また、前記給水部は、前記給水管に形成され、前記オーバーフロー管に固定されたときに前記オーバーフロー管の前記開口部の周縁に当接する当接部を備えることを特徴とする。これにより、給水管をオーバーフロー管に安定して固定することができる。
【００１４】
また、前記固定部は、前記基端部側に形成される係止部を備え、前記給水部は、前記係止部が係止される被係止部を備えることを特徴とする。これにより、固定部が給水部から抜け落ちてしまうことを抑制することができる。
【００１５】
また、前記固定部は、前記オーバーフロー管を挟持することで、前記給水管を前記オーバーフロー管に固定するクリップであることを特徴とする。これにより、簡易な構成で、給水管をオーバーフロー管に固定することができる。
【発明の効果】
【００１６】
実施形態の一態様によれば、洗浄水タンク装置において、タンク内における給水管およびオーバーフロー管の収容スペースの小型化を図ることができる。
【図面の簡単な説明】
【００１７】
【図１】図１は、実施形態に係る洗浄水タンク装置を備えたトイレ装置を示す斜視図である。
【図２】図２は、図１のII−II線断面図である。
【図３】図３は、給水部およびオーバーフロー管の拡大斜視図である。
【図４】図４は、給水部の分解斜視図である。
【図５】図５は、給水部およびオーバーフロー管の平面図である。
【図６】図６は、給水部およびオーバーフロー管の側面図である。
【図７】図７は、給水部の拡大部分断面図である。
【図８】図８は、固定部が突出部の挿入孔へ挿入される様子を示す図である。
【図９】図９は、変形例に係る固定部を示す拡大側面図である。
【発明を実施するための形態】
【００１８】
以下、添付図面を参照して、本願の開示する洗浄水タンク装置の実施形態を詳細に説明する。なお、以下に示す実施形態によりこの発明が限定されるものではない。
【００１９】
（実施形態）
図１は、実施形態に係る洗浄水タンク装置を備えたトイレ装置を示す斜視図である。なお、図１には、説明を分かり易くするために、互いに直交するＸ軸方向、Ｙ軸方向およびＺ軸方向を規定し、Ｚ軸正方向を鉛直上向き方向とする３次元の直交座標系を図示している。かかる直交座標系は、後述の説明に用いる他の図面でも示す場合がある。また、図１および図２以降に示す図は、いずれも模式図である。
【００２０】
図１に示すように、トイレ装置１は、便器本体（以下「便器」と記載する場合がある）２と、洗浄水タンク装置１０とを備える。便器２は、ボウル部３と、リム部４と、排水トラップ管路５と、導水路６とを備える。
【００２１】
ボウル部３は、汚物を受けることが可能なボウル状に形成される。リム部４は、ボウル部３の上縁に形成される。かかるリム部４の上部には、たとえば便座（図示省略）が設けられる。
【００２２】
また、リム部４には、導水路６が接続される。導水路６は、第１吐水口６ａと、第２吐水口６ｂとを備える。導水路６には、便器洗浄が行われる場合に、洗浄水タンク装置１０の排水口１３から排出される洗浄水が流入する。そして、導水路６の洗浄水は、第１、第２吐水口６ａ，６ｂを介してボウル部３へ吐水され、旋回しながらボウル部３を洗浄する。なお、導水路６の吐水口の数は２つに限定されるものではなく、１つまたは３つ以上であってもよい。
【００２３】
排水トラップ管路５は、ボウル部３に接続される。詳しくは、排水トラップ管路５は、入口部５ａと、溜水部５ｂとを備える。入口部５ａは、ボウル部３の底部と連続するように設けられ、ボウル部３からの洗浄水を排水トラップ管路５へ流入させる。
【００２４】
溜水部５ｂは、入口部５ａの下流側に位置されるとともに、所定量の洗浄水が溜まる形状とされる。溜水部５ｂの下流側は、図示しない排水路に接続され、よって溜水部５ｂに流れ込む洗浄水は排水路から排出される。このように、排水トラップ管路５は、溜水部５ｂに洗浄水が溜まり、封水として機能することで、排水管からの臭気等がボウル部３側へ逆流することを防止する。
【００２５】
なお、便器２は、サイホン作用を利用してボウル部３内の汚物を引き込んで排水トラップ管路５から排出する、いわゆるサイホン式である。そのため、便器２においては、便器洗浄が行われる際、サイホン作用により、汚物とともに洗浄水も排水トラップ管路５に引き込まれるため、溜水部５ｂの洗浄水（以下「溜水」と記載する場合がある）の水位は低下することとなる。
【００２６】
溜水部５ｂにおいて、溜水の水位が所定水位より低下すると、溜水は封水として機能せず、臭気等がボウル部３側へ逆流するおそれがある。このため、洗浄水タンク装置１０は、便器洗浄で汚物の排出を行った後、溜水の水位を初期水位に戻すために、ボウル部３に対して洗浄水の補給を行う。
【００２７】
洗浄水タンク装置１０は、便器２の後方（Ｙ軸負方向）上部に設置される。洗浄水タンク装置１０は、タンク１１と、蓋体１２とを備える。タンク１１は、上面が開口された直方体状の容器であり、便器２のボウル部３を洗浄する洗浄水を貯える。タンク１１の底面には、上記した排水口１３が設けられる。なお、タンク１１の内部の構成については、図２を用いて後述する。また、図１に示すタンク１１の形状やタンク１１の便器２に対する設置位置などは、あくまでも例示であって限定されるものではない。
【００２８】
蓋体１２は、タンク１１の上面を全体的に覆うように、タンク１１の上部に着脱自在に取り付けられる。
【００２９】
また、トイレ装置１が設置されるトイレ室の適宜位置には、操作部２０が設けられる。かかる操作部２０は、便器洗浄を開始する開始指示などが使用者によって入力される操作ボタン２１を備える。操作部２０は、使用者から操作ボタン２１を介して入力された開始指示を示す信号を図示しない制御装置へ出力する。なお、操作部２０としては、たとえばリモートコントローラを用いることができるが、これに限定されるものではない。また、図示は省略するが、人感センサが設けられ、かかる人感センサの出力に基づいて開始指示を示す信号を出力してもよい。
【００３０】
図２は、図１のII−II線断面図である。なお、図２では、主に洗浄水タンク装置１０について示すとともに、理解の便宜のため、蓋体１２の図示を省略した。
【００３１】
図２に示すように、洗浄水タンク装置１０は、給水装置３０と、排水装置５０と、手動操作ユニット６０と、電動操作ユニット７０と、オーバーフロー管８０とを備え、これらはタンク１１内に配置されて収容される。
【００３２】
給水装置３０は、タンク１１内へ洗浄水を供給する。たとえば、給水装置３０は、フロート３１を備え、かかるフロート３１の上下の変動に応じてタンク１１内へ洗浄水を供給したり、供給を停止したりする。すなわち、後述する排水装置５０の動作により、タンク１１内の洗浄水が便器２（図１参照）へ排水されると、洗浄水の水位が低下してフロート３１が下降する。フロート３１が下降すると、図示しない給水バルブが開弁し、給水源から供給される洗浄水をタンク１１内へ吐出する。その後、タンク１１内の水位が上昇すると、フロート３１も上昇し、それによって上記した給水バルブが閉弁し、タンク１１内への吐水を停止する。これにより、便器洗浄後のタンク１１内の洗浄水の水位は、所定水位に維持されることとなる。
【００３３】
給水装置３０はさらに、洗浄水補給用の給水部４０を備える。給水部４０は、便器洗浄後に溜水部５ｂにおける溜水の水位を初期水位に戻すために、便器２のボウル部３に対して洗浄水を補給する。本実施形態に係る給水部４０にあっては、タンク１１内のオーバーフロー管８０に対して洗浄水を供給し、オーバーフロー管８０を介して便器２のボウル部３へ洗浄水を補給する。なお、給水部４０の詳細な構成については、図３以降を用いて後述する。
【００３４】
排水装置５０は、排水弁５１と、ワイヤ５２，５３とを備える。排水弁５１は、上下動可能に構成され、かかる上下動により排水口１３を開閉する。ワイヤ５２，５３は、一端側が排水弁５１に接続される。そして、ワイヤ５２の他端側は、手動操作ユニット６０に接続される。
【００３５】
手動操作ユニット６０は、操作レバー６１が操作されると、図示しない歯車が回転してワイヤ５２を巻き取る。これより、排水弁５１はワイヤ５２に引っ張られて上昇し、排水口１３が開放される。排水口１３の開放により、タンク１１内の洗浄水が便器２（図１参照）へ排水される、すなわち、便器洗浄が行われる。
【００３６】
また、ワイヤ５３の他端側は、電動操作ユニット７０に接続される。詳しくは、電動操作ユニット７０は、図示しない駆動モータを備え、ワイヤ５３はかかる駆動モータに接続される。
【００３７】
そして、上記した操作部２０から便器洗浄を開始する開始指示を示す信号が制御装置へ出力されると、制御装置は電動操作ユニット７０の駆動モータを駆動し、ワイヤ５３を巻き取る。これより、排水弁５１はワイヤ５３に引っ張られて上昇し、排水口１３が開放されて便器洗浄が行われる。なお、上記した制御装置は電動操作ユニット７０が備えてもよい。
【００３８】
オーバーフロー管８０は、タンク１１内に上下方向に沿って延設される。オーバーフロー管８０の上端側には、開口部８１が形成される一方、下端側は排水口１３と連通される。したがって、オーバーフロー管８０は、タンク１１内において満水水位を超えた洗浄水を開口部８１へ溢水させ、排水口１３を介して便器２へ排出する。
【００３９】
ところで、洗浄水タンク装置１０においては、上記したように、電動操作ユニット７０など種々の機器や部材がタンク１１内に収容される。しかしながら、タンク１１内の収容スペースには、限りがあることから、タンク１１内に収容される機器や部材について小型化が求められていた。
【００４０】
そこで、本実施形態に係る洗浄水タンク装置１０にあっては、タンク１１内において、給水部４０およびオーバーフロー管８０を収容する収容スペースの小型化を図ることができる構成とした。
【００４１】
かかる構成について、図３以降を参照して詳しく説明する。図３は、給水部４０およびオーバーフロー管８０の拡大斜視図である。図３に示すように、給水部４０は、オーバーフロー管８０の上端側の開口部８１に固定されて取り付けられる。
【００４２】
図４は、給水部４０の分解斜視図である。図３および図４に示すように、給水部４０は、給水ホース４１と、給水管４２と、固定部４３と、突出部４５と、差込部４６（図４参照）と、当接部４７とを備える。
【００４３】
給水ホース４１は、一端が給水装置３０（図２参照）に接続される一方、他端が給水管４２に接続される。したがって、給水ホース４１は、給水源から給水装置３０を経由して供給される洗浄水を給水管４２へ供給する。なお、給水ホース４１としては、たとえば屈曲自在なフレキシブルホースを用いることができるが、これに限定されるものではない。
【００４４】
給水管４２は、給水ホース４１が接続される端部とは反対側の端部に吐水口４２ａが形成される。図３に示すように、給水管４２は、吐水口４２ａがオーバーフロー管８０の開口部８１を臨む位置に配置される。そして、給水管４２は、給水ホース４１から供給された洗浄水を吐水口４２ａからオーバーフロー管８０の開口部８１へ供給して便器２（図１参照）へ洗浄水を補給する。
【００４５】
固定部４３は、給水管４２をオーバーフロー管８０に固定する部材である。固定部４３としては、たとえば金属製のクリップを用いることができる。なお、固定部４３は、金属製に限定されるものではなく、樹脂製などであってもよい。
【００４６】
図４に示すように、固定部４３は、たとえば平板状の部材である。固定部４３は、長尺状の部材であり、側面視においてクランク状に湾曲されて形成される。そして、固定部４３は、基端部４３ａが給水管４２に接続される一方、先端部４３ｂがオーバーフロー管８０に接続される。このとき、固定部４３の基端部４３ａは、給水管４２に対してずれた状態で接続される。
【００４７】
図５は、給水部４０およびオーバーフロー管８０の平面図である。なお、図５においては、基端部４３ａは隠れて見えないため、破線で示している。図５に示すように、固定部４３は、平面視において基端部４３ａが給水管４２に対してずれて配置される。
【００４８】
詳しくは、基端部４３ａの中心を通り、給水管４２の軸線４２ｅと平行な線を、基端部４３ａの中心線４３ｅとした場合、基端部４３ａは、中心線４３ｅが給水管４２の軸線４２ｅから所定距離Ａだけずれて配置される。これにより、給水部４０の給水管４２およびオーバーフロー管８０の収容スペースを小型化することができる。これについて図６を参照して説明する。
【００４９】
図６は、給水部４０およびオーバーフロー管８０の側面図である。なお、図６では、理解の便宜のため、オーバーフロー管８０を断面で示している。
【００５０】
ここで、たとえば仮に、平面視において基端部４３ａが給水管４２に対してずれていない場合、固定部４３は、給水管４２とオーバーフロー管８０との間に配置されることとなる。そのため、図６に想像線で示すように、オーバーフロー管８０の開口部８１の周縁８２から給水管４２の上端までの離間距離Ｃ（高さＣ）は、固定部４３の分だけ増加する。
【００５１】
これに対し、本実施形態では、固定部４３は、平面視において基端部４３ａが給水管４２に対してずれて配置されることから、図６に示すように、側面視において、固定部４３を給水管４２に対して高さ方向（Ｚ軸方向）に重ねて配置することが可能となる。
【００５２】
これにより、オーバーフロー管８０から給水管４２の上端までの離間距離Ｂ（高さＢ）を、固定部４３を重ねて配置した高さ分だけ低くすることが可能となる（Ｂ＜Ｃ）。すなわち、給水管４２およびオーバーフロー管８０を収容する収容スペースを小型化することができる。
【００５３】
図４に戻って固定部４３の説明を続けると、固定部４３の基端部４３ａ側には、係止部４３ｃが形成される。かかる係止部４３ｃについては、図７，８を用いて後述する。
【００５４】
固定部４３の先端部４３ｂは、たとえば二股に分かれるように形成され、オーバーフロー管８０に接続された状態のときに、二股部分がオーバーフロー管８０側を向くように屈曲される。これにより、固定部４３は、先端部４３ｂの二股部分がオーバーフロー管８０に引っ掛かることとなり、オーバーフロー管８０に確実に接続されることとなる。
【００５５】
突出部４５は、図４および図５に示すように、給水管４２から側方へ向けて突出して形成される。そして、かかる突出部４５に、上記した固定部４３の基端部４３ａが接続される。
【００５６】
このように、給水管４２から側方へ向けて突出された突出部４５に、基端部４３ａが接続されることから、平面視において固定部４３の基端部４３ａを給水管４２に対して確実にずれて配置させることが可能となり、よって給水管４２等の収容スペースを小型化することができる。
【００５７】
ここで、固定部４３と突出部４５との接続について説明する。図４に示すように、固定部４３には、上記した係止部４３ｃが形成される。係止部４３ｃは、たとえば固定部４３の基端部４３ａの適宜位置が打ち抜き加工などによってＵ字状に切り欠かれ、Ｕ字部分が曲げ加工されることで、形成される。詳しくは、係止部４３ｃは、基端部４３ａ側を起点として先端部４３ｂ側が起き上がるようにした曲げ加工によって形成される、いわゆる「返し」である。
【００５８】
図７は、給水部４０の拡大部分断面図である。なお、図７では、突出部４５において固定部４３が接続される部位を断面にして示している。
【００５９】
図７に示すように、突出部４５には、固定部４３が挿入可能な挿入孔４５ａが形成される。そして、挿入孔４５ａの内部に、固定部４３の係止部４３ｃが係止される被係止部４５ｃが形成される。被係止部４５ｃは、たとえば側面視において凸状に形成されるとともに、テーパ部４５ｃ１を備える。これにより、固定部４３の挿入孔４５ａへの挿入を容易にすることができる。
【００６０】
図８は、固定部４３が突出部４５の挿入孔４５ａへ挿入される様子を示す図である。図８に矢印Ｄ１で示すように、固定部４３は、基端部４３ａを先頭として挿入孔４５ａに挿入されると、係止部４３ｃが被係止部４５ｃのテーパ部４５ｃ１に当接する。
【００６１】
固定部４３がさらに、挿入孔４５ａに挿入されると、図８に二点鎖線で示すように、係止部４３ｃは、テーパ部４５ｃ１の形状に倣って矢印Ｄ２方向へ弾性変形しながら上方へ移動し、その後テーパ部４５ｃ１を通過すると、図７に示すように弾性力によって元の形状に戻り、被係止部４５ｃに係止される。
【００６２】
このように、係止部４３ｃは、テーパ部４５ｃ１の形状に倣って徐々に変形するため、被係止部４５ｃに引っ掛かりにくく、よって固定部４３の挿入孔４５ａへの挿入を容易にすることができる。
【００６３】
また、図７に示すように、元の形状に戻った固定部４３の係止部４３ｃは、被係止部４５ｃに係止されることから、固定部４３が突出部４５から抜け落ちてしまうことを抑制することができる。
【００６４】
図４に示すように、差込部４６は、突出部４５の下方に延在する平板状の部材である。また、差込部４６は、突出部４５に接続された固定部４３と向き合うようにして形成される。そして、差込部４６は、給水管４２をオーバーフロー管８０に固定する際、図６に示すように、オーバーフロー管８０の開口部８１から差し込まれる。
【００６５】
これにより、固定部４３と差込部４６は、オーバーフロー管８０を挟持することが可能となり、よって給水管４２をオーバーフロー管８０に確実に固定することができる。また、固定部４３は、オーバーフロー管８０を差込部４６とで挟持するクリップであるため、簡易な構成で、給水管４２をオーバーフロー管８０に固定することができる。
【００６６】
当接部４７は、給水管４２に形成され、給水管４２に対して水平方向に延びる形状（たとえば鍔状）とされる。なお、当接部４７は、上記した鍔状に限定されるものではなく、たとえば直方体状や球状などその他の形状であってもよい。
【００６７】
かかる当接部４７は、図６に示すように、給水管４２がオーバーフロー管８０に固定されたときにオーバーフロー管８０の開口部８１の周縁８２に当接する。詳しくは、水平方向に延びる鍔状の当接部４７の底面が、オーバーフロー管８０の開口部８１の周縁８２に当接した状態で、給水管４２はオーバーフロー管８０に固定される。これにより、給水管４２のオーバーフロー管８０に対するがたつきを抑制することができ、よって給水管４２をオーバーフロー管８０に安定して固定することができる。
【００６８】
また、給水管４２をオーバーフロー管８０に取り付ける際、たとえば、給水管４２はオーバーフロー管８０の開口部８１へ向けて下方へ移動させられる。このとき、給水管４２は、差込部４６が開口部８１から差し込まれた後、当接部４７がオーバーフロー管８０の周縁８２に当接し、給水管４２の下方への移動が規制されることとなる。このように、本実施形態に係る当接部４７は、ストッパとしても機能することができる。
【００６９】
上記のように、給水管４２がオーバーフロー管８０に固定されたとき、給水管４２は、吐水口４２ａがオーバーフロー管８０の開口部８１より上方に位置するように配置される（図６参照）。別言すれば、給水管４２は、吐水口４２ａがオーバーフロー管８０の開口部８１から上方へ所定距離離間するように配置される。このように、本実施形態では、給水管４２がオーバーフロー管８０の上方に配置される場合であっても、給水管４２は、オーバーフロー管８０の開口部８１を塞がないように配置される、言い換えると、オーバーフロー管８０の流路を狭めないようにした。これにより、オーバーフロー管８０のオーバーフロー能力が、給水管４２によって低下することを抑制することができる。
【００７０】
上述してきたように、実施形態に係る洗浄水タンク装置１０は、タンク１１と、オーバーフロー管８０と、給水部４０とを備える。タンク１１は、洗浄水を貯える。オーバーフロー管８０は、タンク１１内に上下方向に沿って延設され、タンク１１内において満水水位を超えた洗浄水を上端側に形成された開口部８１へ溢水させて便器２へ排出する。給水部４０は、オーバーフロー管８０を介して便器２へ洗浄水を補給する。
【００７１】
給水部４０は、給水管４２と、固定部４３とを備える。給水管４２は、給水源から供給される洗浄水を吐水口４２ａからオーバーフロー管８０の開口部８１へ供給して便器２へ洗浄水を補給する。固定部４３は、基端部４３ａが給水管４２に接続される一方、先端部４３ｂがオーバーフロー管８０に接続されることで、給水管４２をオーバーフロー管８０に固定する。固定部４３は、平面視において基端部４３ａが給水管４２に対してずれて配置される。これにより、タンク１１内における給水管４２およびオーバーフロー管８０の収容スペースの小型化を図ることができる。
【００７２】
（変形例）
次に、変形例について説明する。なお、以下の説明では、既に説明した部分と同様の部分については、既に説明した部分と同一の符号を付し、重複する説明を省略する。
【００７３】
図９は、変形例に係る固定部４３を示す拡大側面図である。図９に示すように、変形例に係る固定部４３において、係止部１４３ｃは、たとえば固定部４３の基端部４３ａを屈曲させる曲げ加工によって形成される。これにより、変形例にあっては、係止部１４３ｃを比較的容易に形成することが可能となる。
【００７４】
そして、図示は省略するが、固定部４３が突出部４５に取り付けられる際、係止部１４３ｃは、突出部４５の被係止部４５ｃに係止される。これにより、実施形態と同様、固定部４３が突出部４５から抜け落ちてしまうことを抑制することができる。
【００７５】
なお、上記において、給水管４２と、突出部４５と、差込部４６と、当接部４７とは、一体に形成されるが、これに限られず、全部または一部が別体に形成されてもよい。また、給水管４２等と固定部４３とは、別体に形成されるが、一体に形成されてもよい。
【００７６】
また、上記において、便器２はサイホン式であるが、これに限定されるものではなく、たとえば、ボウル部３内の洗浄水の落差による流水作用で汚物を押し流す、いわゆる洗い落し式などであってもよい。
【００７７】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００７８】
１    トイレ装置
２    便器
１０    洗浄水タンク装置
１１    タンク
４０    給水部
４２    給水管
４３    固定部
４２ａ  吐水口
４３ａ  基端部
４３ｂ  先端部
４５    突出部
４３ｃ，１４３ｃ  係止部
４５ｃ  被係止部
４７    当接部
８０    オーバーフロー管
８１    開口部
【図１】
0006988254.tif 000002
【図２】
0006988254.tif 000003
【図３】
0006988254.tif 000004
【図４】
0006988254.tif 000005
【図５】
0006988254.tif 000006
【図６】
0006988254.tif 000007
【図７】
0006988254.tif 000008
【図８】
0006988254.tif 000009
【図９】
0006988254.tif 000010